(57)【要約】【課題】  同時に数人が操作でき、ボールの方向が偏ることなく、ボールの転動コントロールモ容易で、幼児でも容易に操作できるボールゲーム玩具を提供する。【解決手段】  環状突縁を有する皿状の基盤５の盤面に、複数の穴７を間隔をおいて設けたゲーム盤１と、前記環状突縁に嵌合できる切り通しまたは段部を下方に設け、上面が傾斜したボール転がし台２と、基盤５の穴７に一部または全部が入る大きさのボール３とでボールゲーム玩具を構成し、ボール転がし台２の傾斜下端を盤面の何れかの方向に向けて、ボール転がし台２の切り通し又は段部を基盤５の環状突縁に嵌合させて、ボール転がし台２をボールゲーム盤１に配置し、ボール３をボール転がし台２の傾斜面に置いて転がし、穴７に入れることを可能にする。【選択図】        図１
2005034380.tif 000002
【特許請求の範囲】
【請求項１】
環状突縁を有する皿状の基盤の盤面に、複数の穴を間隔を置いて設けてなるゲーム盤と、
前記基盤の環状突縁を嵌合できる切り通し、または、段部を下方に設け、上面が傾斜したボール転がし台と、
前記基盤の穴に一部または全部が入る大きさのボールと、
よりなり、前記ボール転がし台の上面の傾斜面の下降先端を前記基盤の盤面のいずれかの方向に向けて、前記ボール転がし台の切り通しまたは段部に基盤の環状突縁を嵌合させてボール転がし台をゲーム盤に配置し、前記ボールをボール転がし台の傾斜面に置いて転がし前記穴に入れることを可能とするボールゲーム玩具。
【請求項２】
環状突縁を有する皿状の基盤の盤面において、前記環状突縁の内側壁の近くに、複数の穴を間隔を置いて設け、前記環状突縁の上面に水平の環状板を取付け、その内周の縁において、前記穴のそれぞれの上方に湾入部を設けた庇を形成してなるゲーム盤と、
前記基盤の環状板と環状突縁とを嵌合できる切り通し、または、段部を下方に設け、上面が傾斜したボール転がし台と、
前記基盤の穴に一部または全部が入る大きさのボールと、
よりなり、前記ボール転がし台の上面の傾斜面の下降先端を前記基盤の盤面のいずれかの方向に向けて、ボール転がし台の切り通しまたは段部に基盤の環状板と環状突縁を嵌合させて、ボール転がし台をゲーム盤に配置し、前記ボールをボール転がし台の傾斜面に置いて転がし前記穴に入れることを可能とするボールゲーム玩具。
【請求項３】
基盤の盤面中心部に小柱体を着脱自在に立設することを可能とした請求項１または２のボールゲーム玩具。
【発明の詳細な説明】
【技術分野】
【０００１】
この発明は、数人でボールを転がし穴にいれて、得点を競うことのできるボールゲーム玩具に関するものである。
【背景技術】
【０００２】
従来、ボールゲーム玩具としては、平坦面に前下がりの傾斜状に接地されたゲーム盤の一側下側部に、小球射出路とその射出路内に小球打ち出し体を設け、ゲーム盤面に複数の入賞部を設け、小球打ち出し体で小球を打ち出して入賞部に小球を入れ、得点を競うスマートボール玩具がある（例えば特許文献１参照）。
【特許文献１】実願平５−１３２９号（実開平６−５７３８４号）のマイクロフィルム（０００２従来の技術）
【発明の開示】
【発明が解決しようとする課題】
【０００３】
従来のスマートボール玩具は、１人づづしか玩具を操作出来ない。
また、小球打ち出し体の位置は、一方側方下方に固定されていて、バネで付勢された棒を引き、バネの反発力で打球する。棒の引き具合でバネの反発力をコントロールして打球の速度を変え盤上のピンに当て、ボールの落下方向の変化で入賞部のいずれかに入れる。このコントロールが難しいのと、盤上のピンの位置および立設傾斜の微妙な癖があって、ボールの落下方向に癖があり、ボ−ルの落下方向が偏りゲームの面白さを削ぐおそれがある。
【０００４】
この発明は、同時に数人が操作でき、ボールの転がる方向が偏ることもなく、ボールの転動落下方向に癖がなく、また、ボールの転動コントロールもむつかしくなく、幼児でも容易に操作できる、ボールゲーム玩具を提供することを目的とする。
【課題を解決するための手段】
【０００５】
環状突縁を有する皿状の基盤の盤面に、複数の穴を間隔を置いて設けてなるゲーム盤と、
前記基盤の環状突縁を嵌合できる切り通し、または、段部を下方に設け、上面が傾斜したボール転がし台と、
前記基盤の穴に一部または全部が入る大きさのボールと、
でボールゲーム玩具を構成し、前記ボール転がし台の上面の傾斜面の下降先端を前記基盤の盤面のいずれかの方向に向けて、前記ボール転がし台の切り通しまたは段部に基盤の環状突縁を嵌合させてボール転がし台をゲーム盤に配置し、前記ボールをボール転がし台の傾斜面に置いて転がし前記穴に入れることを可能とする。
【０００６】
環状突縁を有する皿状の基盤の盤面において、前記環状突縁の内側壁の近くに、複数の穴を間隔を置いて設け、前記環状突縁の上面に水平の環状板を取付け、その内周の縁において、前記穴のそれぞれの上方に湾入部を設けた庇を形成してなるゲーム盤と、
前記基盤の環状板と環状突縁とを嵌合できる切り通し、または、段部を下方に設け、上面が傾斜したボール転がし台と、
前記基盤の穴に一部または全部が入る大きさのボールと、
でボールゲーム玩具を構成し、前記ボール転がし台の上面の傾斜面の下降先端を前記基盤の盤面のいずれかの方向に向けて、ボール転がし台の切り通しまたは段部に基盤の環状板と環状突縁を嵌合させて、ボール転がし台をゲーム盤に配置し、前記ボールをボール転がし台の傾斜面に置いて転がし前記穴に入れることを可能とする。
【０００７】
基盤の盤面中心部に小柱体を着脱自在に立設することを可能とするのが好ましい。
【発明の効果】
【０００８】
この発明に係るボールゲーム玩具は、同時に数人で遊ぶことができる。
取扱が簡単で、幼児でも遊べる。
ボールの転がる方向は偏らず、変化に富む。
構造が簡単で製造が容易で安価にできる。
【発明を実施するための最良の形態】
【０００９】
このボールゲーム玩具は、ゲーム盤１、ボール転がし台２、ボール３と小柱体４とよりなる。小柱体４は省略することができる。
【００１０】
ゲーム盤１は、平面形状が円形または多角形の皿状の基盤５で、その環状突縁の上方に水平に環状板６を有する。環状板６は、基盤５の環状突縁に内方向に庇を形成する。
【００１１】
ゲーム盤１の基盤５の盤面には、環状突縁に沿って、かつ、近接した位置に、複数の穴７を設ける。穴７は等間隔でも不等間隔でもよい。穴７の深さはボール３の一部または全部が入る深さおよび大きさとする。穴７は、その直径の約半分が環状板６の庇の先端縁の線の下方より基盤５の環状縁の内壁方向に位置し、穴７の上方の環状板６の庇に湾入部を設け、穴７の上方は環状縁の庇が覆わないようにする。これは、穴にボール３が入りやすくし、かつ、穴７に入ったボール３を取り出しやすくするためである。庇の高さはボールの直径よりも低くする。湾入部の両端にはアールを設ける。このアールは、ボール３が庇の先端縁に沿って転がり、穴７に入り易くするためである。
穴７は、貫通孔でも、または、有底のものでもよい。
【００１２】
ボール転がし台２は、図３に示すとおり、滑り台形状で、上面が傾斜しており、下方に、ゲーム盤１の環状板６を嵌合できる幅で、ゲーム盤１の縁部、すなわち基盤５の縁部および環状板６を嵌合できる切り通し９を有する。
この台の傾斜下降方向を基盤５の盤面の中心部またはいずれかの方向に向け、ゲーム盤１の縁部を切り通し９に嵌合させて載置したときに、切り通し９の前方の台の下面が基盤５の盤面に当接するか、近接する構成とする。
【００１３】
ボール転がし台２の上面の傾斜面の両側縁には、図７（Ａ）に示すように、突縁１０を突設するか、または、図７（Ｂ）に示すように、上面の上下方向に断面円弧状の溝１４を設け、ボール３を転がすときに、ボールが横に転落しないようにする。
【００１４】
切り通し９の天井に突部１１を設け、環状板６に穴１２を設け、突部１１を穴１２に挿入して、ボール転がし台２の位置決めにしてもよい。突部１１および穴１２を設けなくてもよい。
【００１５】
ボール３は、ゴム、プラスチック、木、金属等その材料を問わない。
【００１６】
小柱体４は、円柱体または多角柱体のいずれでもよく、下端に突部を設け、基盤５の盤面上、好ましくはその中心に穴を設けて突部を挿入して立設可能とする。
小柱体４および小柱体４のための基盤の盤面の穴は省略することができる。
【００１７】
上記のボールゲーム玩具は次のように使用する。
すなわち、基盤５の穴７のそれぞれに点数を決めておく。
次いで、小柱体４を立て、ボール転がし台２を図３に示すようにゲーム盤１の環状板に載置する。
ボール３をボール転がし台２の傾斜面の上方に置いて手を離すと、ボール３は転がり落ちて小柱体４に当り、転がり角度を変えて転がって環状板６の庇る当たって横に転がり、穴７に入る。予め決めたその穴７の定数が得点となる。
ボール３は精密加工による真球でない場合には、微妙な転がし角度変更がある。また、ボールを転がし台２の傾斜面上方で手から離すときに、少し押し気味して放すと、小柱体４に当たった反発力が異なり、ボールの転がり角度も異なり、ボールの入る穴７が違って来る。  所定の回数の転がしの点数の合計で優劣を決める。
【００１８】
なお、ゲーム中にボール転がし台２の載置位置を変更することができる。
ボール転がし台２の切り通し９の天井に突部１１を設けない場合には、台の位置をずらして、自由に位置を選択変更することができる。
【００１９】
ボール転がし台２の切り通し９の天井に突部１１を設けた場合にも、設けない場合にも、切り通し９をわずかに大きくすれば、ボール転がし台２をゲーム盤１の縁部に載置した状態で、台の下端の方向を僅かに振れるようにすることができて好ましい。これにより、ボールが小柱体４に当たる角度を調整できる。
【００２０】
基盤５の盤面中心に小柱体４を立設しないで、ボール転がし台の下端の方向をコントロールして、ボール３を転がすと、ボール３は転がって環状板６の庇の先端に当り、横に転がって穴７に入る。ボール３は庇に当たらず、直接穴７に入ることもある。
【００２１】
基盤５の環状突縁に環状板６を取付けないで、図４および図６に示すように、環状突縁１３の内壁近くの盤面に穴７を設けてもよい。
環状突縁１３の内壁に、先の実施の形態の環状板６の湾入部８に相当する湾入部を設けてもよく、または、設けなくてもよい。
ボール転がし台２の切り通し９は、環状突縁１３を嵌合させることを可能とする形状とする。
【００２２】
ボール転がし台２の代わりに、切り通し９を設けないで、図５および図６に示すように、台の後部下方に環状板６および環状縁部または環状縁１３を嵌合できる段部９ａを設けたボール転がし台２ａを用いてもよい。
【００２３】
いずれの実施の形態においても、穴７は、基盤５の環状縁の近くに限らず、盤面のいずれの位置に設けてもよい。
【００２４】
この発明に係るボールゲーム玩具は、同時に数人がプレイすることができる。この場合に、同時にボールを転がして、相手のボールに当て、相手が狙った穴にボールを入れるのを邪魔することもできる。
【図面の簡単な説明】
【００２５】
【図１】ボールゲーム玩具の平面図である。
【図２】ボールゲーム玩具のＡーＡ断面図である。
【図３】ボール転がし台をゲーム盤の縁部に載置した状態の要部の断面説明図である。
【図４】ボール転がし台を他の実施の形態のゲーム盤の縁部に載置した状態の要部の断面説明図である。
【図５】他の実施の形態のボール転がし台をゲーム盤の縁部に載置した状態の要部の断面説明図である。
【図６】図５に示す実施の形態のボール転がし台を、他の実施の形態のゲーム盤の縁部に載置した状態の要部の断面説明図である。
【図７】ボール転がし台の背面図である。
【符号の説明】
【００２６】
１    ゲーム盤
２    ボール転がし台
３    ボール
４    小柱体
５    基盤
６    環状板
７    穴
８    湾入部
９    切り通し
１０  突縁
１１  突部
１２  穴
１３  環状突縁
【図１】
2005034380.tif 000003
【図２】
2005034380.tif 000004
【図３】
2005034380.tif 000005
【図４】
2005034380.tif 000006
【図５】
2005034380.tif 000007
【図６】
2005034380.tif 000008
【図７】
2005034380.tif 000009